(57)【要約】【課題】基地局無線装置と走行する移動局無線装置との通信に干渉波を混入する干渉試験において時間の経過により受信レベルがダイナミックに変化する通信環境を擬似的に再現し、反復試験を効率よく行う干渉試験装置を提供する。【解決手段】時間の経過により減衰量を変化させる伝搬路シミュレータ８に予め走行試験等により測定された受信レベルから変換した減衰量の変化のプロファイルデータを実装し、伝搬路シミュレータ９に同様に実環境の干渉波の受信レベルを減衰量に変換したデータを実装し、基地局送信装置１に伝搬路シミュレータ８を、干渉信号源５に伝搬路シミュレータ９をそれぞれ接続し、伝搬路シミュレータ８及び９を同一のタイミング・速度で動作させて合成器７により合成して、移動局受信装置３に出力することにより実環境を擬似的に再現した干渉試験を行う。【選択図】　　　　　図１
2004064221.tif 000002
【特許請求の範囲】
【請求項１】
基地局無線装置と移動局無線装置との通信に干渉波を加えて干渉試験を行う干渉試験装置において、前記基地局無線装置から移動無線装置への下り方向、及び前記移動局無線装置から基地局無線装置への上り方向それぞれに実環境における受信レベルを減衰量に変換したプロファイルデータを有する第１の伝搬シミュレータと、実環境における干渉波の受信レベルを減衰量に変換したプロファイルデータを有する第２の伝搬路シミュレータとを設け、下り方向において第１の伝搬路シミュレータを介して出力された基地局無線装置の出力信号と第２の伝搬路シミュレータを介して出力された干渉信号とを合成して移動局無線装置に出力し、且つ、上り方向において第１の伝搬路シミュレータを介して出力された移動局無線装置の出力信号と第２の伝搬路シミュレータを介して出力された干渉信号とを合成して基地局無線装置に出力し、下り方向と上り方向における第１及び第２の伝搬路シミュレータの減衰量をそれぞれ同一のタイミング及び速度で変化させることによって干渉試験を行うことを特徴とする干渉試験装置。
【請求項２】
前記第１及び第２の伝搬路シミュレータは、移動局を走行して実環境で測定された距離に応じた受信レベルを減衰量に変換したプロファイルデータを有することを特徴とする請求項１に記載の干渉試験装置。
【請求項３】
前記上り方向及び下り方向の第１の伝搬路シミュレータと、上り方向及び下り方向の第２の伝搬路シミュレータとで、各々同一のプロファイルデータを有することを特徴とする請求項１、２に記載の干渉試験装置。
【請求項４】
前記第１及び第２の伝搬路シミュレータにクロック信号を供給する制御部を有し、前記制御部から下り方向と上り方向の第１及び第２の伝搬路シミュレータに対して同一のタイミングと速度でクロック信号を供給することを特徴とする請求項１〜３に記載の干渉試験装置。
【請求項５】
前記制御部からのクロック信号の周波数を変化させることにより前記移動局無線装置の移動速度を等価的に変更することを特徴とする請求項１〜４に記載の干渉試験装置。
【請求項６】
前記基地局無線装置と干渉信号源、又は移動局無線装置と干渉信号源との位置関係を前記第２の伝搬路シミュレータにおける減衰量のプロファイルデータを時間的にシフトさせることにより変更することを特徴とする請求項１〜５に記載の干渉試験装置。
【発明の詳細な説明】
【０００１】
【発明の属する技術分野】
本発明は、移動通信の無線設備の試験装置に関し、特に無線方式の周波数干渉に対する性能を測定、評価するための干渉試験装置に関するものである。
【０００２】
【従来の技術】
移動通信の無線設備の性能を評価、測定する際には実際の走行状態もしくはそれに近い状態での電波伝搬試験が必要である。実際の走行状態では移動体の走行により位置が変わるにつれて、受信レベルがダイナミックに変動するため、静的な受信レベルに対する伝送特性の測定では通信手順を含めた無線設備の性能を十分に評価、測定することは困難である。
【０００３】
一般的には、無線装置、測定装置等をテストコース、移動体等に設置して、移動体を移動させながら伝送特性の測定を行うが、試験の準備、実施等に手間や費用がかかる。これに対しては時間の経過と共に減衰量を変化できる伝搬路シミュレータを適用することにより、擬似的に走行状態における電波伝搬特性を再現させることが可能であり、評価試験を効率的に行うことができる（例えば、特開昭５８−７０６５３号公報等）。
【０００４】
一方、移動通信においては無線通信ゾーンが他の無線システムの無線ゾーンに近接する可能性があり、無線設備の性能を評価する上では同一周波数帯における干渉波による影響の測定、評価も必要である。
【０００５】
一般的には、干渉波による伝送特性への影響を測定するためには、評価する無線設備と干渉波となる無線設備とを可変減衰器を介して合成し、希望波（Ｄ）レベルと干渉波（Ｕ）レベルの比を静的に変えることにより耐干渉性能を測定していた。又は上記と同様に無線設備、測定装置等をテストコース、移動体等に設置して移動体を移動させながら信号伝送特性を測定していた。
【０００６】
【発明が解決しようとする課題】
しかしながら、従来の測定方法では、次のような問題点があった。即ち、第１の問題点はＤ／Ｕ比の静的な変化では通信手順を含めた無線設備の性能を十分に測定、評価することが困難である。その理由は、実際の通信環境では移動体が移動するにつれて受信レベルがダイナミックに変動し、また干渉の状況もダイナミックに変動するため、通信手順を評価する環境としては厳しいからである。
【０００７】
また、第２の問題点は、上記と同様に試験の準備、実施等に手間や費用がかかることである。その理由は、通信手順を含めた無線設備の性能を測定、評価するためには、移動体の移動速度を様々に変化させたり、干渉波レベルを様々に変化させたり、干渉源との距離を様々に変化させて、類似の測定を数多く繰り返して行う必要があり、軽微な試験条件の変更に対しても試験環境の変更には多大の手間や費用がかかるからである。また、試験のための環境は試験の都度構築し、試験が終了すると解体するため、類似の試験を行う場合に再利用ができない点も問題である。
【０００８】
本発明は、上記従来の問題点に鑑みなされたもので、その目的は、無線設備が実環境に近い環境で他の無線システムから干渉を受けた場合の性能を効率的に測定、評価することにより、試験に関わる生産性を向上するのみならず、試験に関わる資源の消費を低減することが可能な干渉試験装置を提供することにある。
【０００９】
【課題を解決するための手段】
本発明は、基地局から移動局への下り方向においては、基地局送信装置の出力信号を第１の伝搬路シミュレータにより変化させ、また下り干渉信号源の出力信号を第２の伝搬路シミュレータにより変化させ、各々の伝搬路シミュレータの出力を合成して移動局受信装置に入力する。また、移動局から基地局への上り方向においては、同様に移動局送信装置の出力信号を第１の伝搬路シミュレータにより変化させ、また上り干渉信号源の出力信号を第２の伝搬路シミュレータにより変化させ、各々の伝搬路シミュレータの出力を合成して基地局受信装置に入力する。
【００１０】
また、制御部は第１の伝搬路シミュレータにおける減衰量の変化と第２の伝搬路シミュレータにおける減衰量の変化とが同一のタイミング、速度（周波数）で進行するように制御する。
【００１１】
ここで、第１の伝搬路シミュレータには、予め移動局が移動するにつれて時間的に変化する受信レベルを実環境における走行試験等により実測して、減衰量に変換したデータを組み込んでおき、第２の伝搬路シミュレータには、予め移動局が移動するにつれて時間的に変化する干渉波の受信レベルを走行試験等により実測して、減衰量に変換したデータを組み込んでおく。
【００１２】
このような構成において、第１の伝搬路シミュレータと第２の伝搬路シミュレータとを同一のタイミング、速度で動作させることにより移動局が干渉波を受けながら移動した場合の環境を擬似的に再現することができる。
【００１３】
【発明の実施の形態】
次に、本発明の実施の形態について図面を参照して詳細に説明する。図１は本発明の干渉試験装置の一実施形態を示すブロック図である。なお、本実施形態では基地局無線装置と移動局無線装置とが、上り方向と下り方向で異なる周波数を使用する無線方式により通信を行うケースについて干渉試験を行う例を説明する。図１において、１は基地局送信装置、２は基地局受信装置、３は移動局受信装置、４は移動局送信装置である。また、５は下り干渉信号源、６は上り干渉信号源、７は合成器、８〜１１は伝搬路シミュレータ、１２は制御部である。
【００１４】
ここで、伝搬路シミュレータ８〜１１はメモリ上に減衰量のデータを記憶し、クロック信号が入力されると逐次メモリからデータを読み出し、可変減衰器の減衰量を変化させる機能を持つ。伝搬路シミュレータ８及び１０のメモリには、予め図２（ａ）に示すようにテストコースでの走行試験等の実環境で測定した受信レベル（距離に応じた受信レベル）を図２（ｂ）に示すように減衰量（距離に応じた減衰量）に変換したプロファイルデータを記憶させておく。但し、図１の実施形態では、伝搬路シミュレータ８及び１０は同一の伝搬路の各々下り方向と上り方向の伝搬路に相当するため、基本的に同一のプロファイルデータが適用可能である。これは、伝搬路シミュレータ９、１１の場合も同様である。
【００１５】
一方、伝搬路シミュレータ９及び１１には、同様に実環境下で移動局を走行させて測定した干渉波の受信レベルを減衰量に変換したプロファイルデータを実装しておく。下り方向に関しては、伝搬路シミュレータ８を介した基地局送信装置１の出力信号と、伝搬路シミュレータ９を介した下り干渉信号源５の出力信号とを合成器７により合成し、移動局受信装置３に出力する。
【００１６】
伝搬路シミュレータ８及び９は制御部１２からクロック信号を受け、同一のタイミング、速度（周波数）で減衰量を変化させる。上り方向についても同様の構成である。即ち、伝搬路シミュレータ１０を介した移動局送信装置４の出力信号と、伝搬路シミュレータ１１を介した上り干渉信号源６の出力信号とが合成器７により合成され、基地局受信装置２に出力される。
【００１７】
次に、本実施形態の動作を説明する。下り方向を例にとって説明すると、制御部１２がクロック信号を供給し始めると伝搬路シミュレータ８及び９の出力は各々実装されているプロファイルデータに従って減衰量が変化し始め、時間の経過に従って伝搬路シミュレータ８からは図３（ａ）に示すように希望波が、伝搬路シミュレータ９からは図３（ｂ）に示すように不要波が出力され、合成器７からは図３（ｃ）に示すように希望波及び不要波が合成して出力される。これは、実環境において移動局受信装置３に入力する信号の変化を良く再現するものである。合成器７からの信号は移動局受信装置３で受信され、例えば、この受信信号のビット誤り率を検出することにより信号伝送特性の評価を行う。
【００１８】
上り方向についても同様の動作を行うが、制御部１２から上り方向及び下り方向の両方に対して、同一のタイミング・速度（周波数）にてクロック信号を供給することにより、より現実に近い通信環境を再現することが可能である。即ち、上り方向においても同様に伝搬路シミュレータ１０、１１からの希望波と不要波が合成器７で合成して出力され、基地局受信装置２で受信される。この場合も、例えば、この受信信号のビット誤り率を検出することで信号伝送特性の評価を行う。
【００１９】
このように本実施形態では、実環境測定データの受信減衰量のプロフィールデータを記憶した伝搬路シミュレータを用いて干渉試験を行うので、実環境の信号変化を良く再現でき、実環境に近い状態で試験を行うことができる。
【００２０】
また、基地局から移動局への信号伝送及び干渉源から移動局への信号伝送の各々に伝搬路シミュレータを用いて疑似干渉波を印加することにより、容易に同一条件で繰り返し試験を実施することができると共に、テストコースでの測定に比べて移動体を移動しながら試験を行う必要がなく、試験設備の構築、解体を簡便に行うことができる。従って、反復試験が必要な場合に多くの試験を容易に実行できることができる。
【００２１】
更に、例えば、図４（ａ）に示すように希望波（Ｄ）レベルと干渉波（Ｕ）レベルの比の変更は干渉波用伝搬路シミュレータの減衰量のデータを増大又は減少させるようにシフトさせることにより可能である。また、同様に図４（ｂ）に示すように基地局と干渉源（移動局と干渉源）との位置関係の変更は干渉波用伝搬路シミュレータの減衰量のデータを時間的にシフトさせることにより可能である。
【００２２】
また、移動体の移動速度の変更は希望波用の伝搬路シミュレータ及び干渉波用伝搬路シミュレータの各々のクロック信号の速度（周波数）を変更することにより可能であるため、伝搬路シミュレータに関わる動作条件を様々に設定することにより干渉条件を容易に設定できる。このように干渉条件の軽微な変更が容易に設定可能であるため、干渉試験を効率的に実施することが可能である。
【００２３】
【発明の効果】
以上説明したように本発明によれば、実環境測定データの受信減衰量のプロフィールデータを記憶した伝搬路シミュレータを用いて干渉試験を行うことにより、実環境に近い状態で試験を行うことができる。また、試験を容易且つ費用を安価に行うことができ、特に、反復試験が必要な場合であっても試験を容易に行うことができ、干渉条件の軽微な変更も容易であるため、試験を効率的に行うことができる。
【図面の簡単な説明】
【図１】本発明の干渉試験装置の一実施形態を示すブロック図である。
【図２】伝搬路シミュレータに実装するプロファイルデータの一例を示す概念図である。
【図３】本発明の動作のを示す概念図である。
【図４】試験条件の変更方法の一例を示す概念図である。
【符号の説明】
１　基地局送信装置
２　基地局受信装置
３　移動局受信装置
４　移動局送信装置
５　下り干渉信号源
６　上り干渉信号源
７　合成器
８〜１１　伝搬路シミュレータ
１２　制御部
【図１】
2004064221.tif 000003
【図２】
2004064221.tif 000004
【図３】
2004064221.tif 000005
【図４】
2004064221.tif 000006